(57)【要約】【課題】人の素手よりも小物の摘取が容易であり、手袋を着用したままでタッチパネルに静電式及び感圧式信号を伝達することができる手袋を提供する。【解決手段】指部を含む手袋本体；及び第１層と前記第１層の反対側の第２層が前方部で互いに接合してエッジラインを形成し、後方部は開放して前記指部に装着された指ぬき部；を含み、使用者が手袋を着用して親指用指ぬき部と人差し指用指ぬき部の各先端を一致させる場合、親指用指ぬき部の第１層外面の左右中心線と人差し指用指ぬき部の第１層外面の左右中心線は互いに０〜０．５ｍｍの誤差内で一致し、前記指ぬき部の第１層側から見て両左右中心線が成す角度が１７０°〜１９０°であり、両左右中心線の一致点で親指用指ぬき部及び人差し指用指ぬき部の共通の接平面をなす。【選択図】図１
2014501340.tif 000002
【特許請求の範囲】
【請求項１】
指を包む指部を含む手袋本体；及び
手の甲側の第１層と前記第１層の反対側の第２層が前方部で互いに接合してエッジラインを形成し、後方部は開放して前記指部に装着された指ぬき部；を含み、
使用者が手袋を着用して親指用指ぬき部と人差し指用指ぬき部の各先端を一致させる場合、親指用指ぬき部の第１層外面の左右中心線と人差し指用指ぬき部第１層外面の左右中心線は互いに０〜０．５ｍｍの誤差内で一致する、小物摘取用手袋。
【請求項２】
前記指ぬき部の第１層側から見た両左右中心線が成す角度が１７０°〜１９０°であり、両左右中心線の一致点で親指用指ぬき部及び人差し指用指ぬき部の共通の接平面をなす、請求項１に記載の小物摘取用手袋。
【請求項３】
前記指ぬき部は前記左右中心線を基準に対称構造である、請求項２に記載の小物摘取用手袋。
【請求項４】
前記第２層の厚さは前記第１層の厚さより薄い、請求項２に記載の小物摘取用手袋。
【請求項５】
前記エッジラインの厚さが０．００１ｍｍ〜０．５ｍｍである、請求項４に記載の小物摘取用手袋。
【請求項６】
指を包む指部を含む手袋本体；及び
手の甲側の第１層と前記第１層の反対側の第２層が前方部で互いに接合してエッジラインを形成し、後方部は開放して前記指部に装着された指ぬき部；を含む小物摘取用手袋であって、
前記小物摘取用手袋はスタイラスペンの機能を持つ、小物摘取用手袋。
【請求項７】
人差し指用指ぬき部の第２層が装着される前記手袋本体の人差し指領域の少なくとも一部に孔が形成され、使用者の指が直接指ぬき部と接触するように構成され、前記指ぬき部は導電性樹脂でなり、使用者の指の電流が指ぬき部を介して伝達される、請求項６に記載の小物摘取用手袋。
【請求項８】
前記指ぬき部の第１層の内部に、バッテリー及び前記バッテリーから電流を受けるチップを含むスタイラスペンが装着される、請求項６に記載の小物摘取用手袋。
【請求項９】
前記指ぬき部の第１層の外面に、バッテリー及び前記バッテリーから電流を受けるチップを含むスタイラスペンが装着される、請求項６に記載の小物摘取用手袋。
【請求項１０】
前記チップの先端は対応する指ぬき部の先端と一致する形状を持つ、請求項８及び９に記載の小物摘取用手袋。
【請求項１１】
指を包む指部を含む手袋本体；及び
手の甲側の第１層と前記第１層の反対側の第２層が前方部で互いに接合してエッジラインを形成し、後方部は開放して前記指部に装着された指ぬき部；を含み、
前記指ぬき部は前記手袋本体の指部に射出成形で形成され、
使用者が手袋を着用して親指用指ぬき部と人差し指用指ぬき部の各先端を一致させる場合、親指用指ぬき部の第１層外面の左右中心線と人差し指用指ぬき部の第１層外面の左右中心線は互いに０〜０．５ｍｍの誤差内で一致する、小物摘取用手袋。
【請求項１２】
前記指ぬき部の第１層側から見た両左右中心線が成す角度が１７０°〜１９０°であり、両左右中心線の一致点で親指用指ぬき部及び人差し指用指ぬき部の共通の接平面をなす、請求項１１に記載の小物摘取用手袋。
【請求項１３】
指を包む指部を含む手袋本体；及び
手の甲側の第１層と前記第１層の反対側の第２層が前方部で互いに接合してエッジラインを形成し、後方部は開放して前記指部に装着された指ぬき部；を含み、
前記指ぬき部は前記手袋本体の指部に射出成形で形成される小物摘取用手袋の製造方法であって、
前記指ぬき部の前記第１層の外面を形成する上側コア、前記指ぬき部の前記第２層の外面を形成する下側コア、及び前記手袋本体の指部が挿入されるスライドコアを含む金型に前記手袋本体を装着し、手袋本体の指部と前記コアがなす射出空間に射出物を噴射して前記指ぬき部を形成する、小物摘取用手袋の製造方法。
【発明の詳細な説明】
【技術分野】
【０００１】
本発明は、小物摘取用手袋に係り、より詳しくは小物の摘取が容易な親指部と人差し指部の構造を持つ小物摘取用手袋に関する。
【背景技術】
【０００２】
従来の手袋は使用者の手を保護するとか外部温度から保護しようとする目的で着用したが、近年手袋の機能も作業者の手を保護する機能から拡大し、切断防止用手袋、すべり防止用手袋、耐熱用手袋、防寒用手袋、耐酸用手袋、耐塩用手袋、吸振用手袋、オイル及び汚物処理用手袋などの種々の手袋が使われている。
【０００３】
このような手袋は、手を保護するために、所定の厚さを持つ布地などで形成することになる。しかし、使用者が手袋を着用した状態で作業を行うときには、針、ピン、くぎ、ネジなどの小物を摘み難くいため、手袋を脱いだ後、素手で小物を摘む煩わしさがあり、さらに素手でも摘み難い小物は別の道具を準備しなければならない問題点があった。
【０００４】
また、従来の手袋は、先端部が鋭くなくて大部分絶縁素材でなっているため、近年たくさん使われる感圧式及び静電式タッチパネルなどに信号を伝達することができなくなるので、手袋を着用したままでタッチパネルなどを使うことができない問題点があった。
【０００５】
一方、本発明者の研究結果、手袋を着用して小物を摘むことができない原因は４種に区分される。
【０００６】
第一、通常小物は親指と人差し指の指先で摘むことになるが、手袋を構成する手袋素材の厚さのため、小物を摘むのに親指と人差し指が合う部分がちびて摘取死角領域を形成するからである。
【０００７】
第二、手袋の指部位の空間に指が挿入されるにあたり、指のサイズに比べて手袋の内部に余裕空間があり、手袋の指先部分が物体に触れるとき、余裕空間だけ折り畳まれてしわが発生して小物の摘取を邪魔するからである。
【０００８】
第三、人間の手には爪が存在するので、限定サイズの小物、つまり半導体チップ、シャープペンの芯、青虫、昆虫卵などの小物の摘取において親指と人差し指の爪部を対称状にし、安定した摘取位置の確保及び被摘取物の均衡を確保した状態で適当な摘取力を加えることで摘取がなされる。これは手袋に爪状の部材が存在しないからである。
【０００９】
第四、物体の外形が球形または円形棒である場合のように摘取点の維持確保ができないときは、把持物の中心下端部を爪などで摘むことで小物を力学的に上方に浮上させて爪と指紋部の間に挟んで摘むことになるが、手袋の着用の際には小物を浮上させるとか挟持することができないからである。
【発明の概要】
【発明が解決しようとする課題】
【００１０】
本発明は上述した問題点を解決するためになされたもので、本発明の目的は、人の素手よりも小物の摘取が容易な手袋を提供することである。
【００１１】
また、手袋を着用したままでタッチパネルに静電式及び感圧式信号を伝達することができる手袋を提供することである。
【課題を解決するための手段】
【００１２】
本発明の一側面による小物摘取用手袋は、指を包む指部を含む手袋本体；及び手の甲側の第１層と前記第１層の反対側の第２層が前方部で互いに接合してエッジラインを形成し、後方部は開放して前記指部に装着された指ぬき部；を含み、使用者が手袋を着用して親指用指ぬき部と人差し指用指ぬき部の各先端を一致させる場合、親指用指ぬき部の第１層外面の左右中心線と人差し指用指ぬき部の第１層外面の左右中心線は互いに０〜０．５ｍｍの誤差内で一致する。
【００１３】
この際、前記指ぬき部の第１層側から見て両左右中心線が成す角度が１７０°〜１９０°であり、両左右中心線の一致点で親指用指ぬき部及び人差し指用指ぬき部の共通の接平面をなすことができる。
【００１４】
また、前記指ぬき部は、前記左右中心線を基準に対称構造であってもよい。
【００１５】
また、前記第２層の厚さは前記第１層の厚さより薄いことができる。
【００１６】
また、前記エッジラインの厚さは０．００１ｍｍ〜０．５ｍｍであることができる。
【００１７】
本発明の他の側面による小物摘取用手袋は、指を包む指部を含む手袋本体；及び手の甲側の第１層と前記第１層の反対側の第２層が前方部で互いに接合してエッジラインを形成し、後方部は開放して前記指部に装着された指ぬき部；を含む小物摘取用手袋であって、前記小物摘取用手袋は、スタイラスペン機能を持つ。
【００１８】
この際、前記人差し指用指ぬき部の第２層が装着される領域の少なくとも一部に孔が形成され、使用者の指が直接指ぬき部と接触するように構成され、前記指ぬき部は導電性樹脂でなり、使用者の指の電流が指ぬき部を介して伝達されることができる。
【００１９】
この際、前記指ぬき部の第１層の内部にバッテリー及び前記バッテリーから電流を受けるチップを含むスタイラスペンが装着されることができる。
【００２０】
この際、前記指ぬき部の第１層の外面にバッテリー及び前記バッテリーから電流を受けるチップを含むスタイラスペンが装着されることができる。
【００２１】
また、前記チップの先端は対応する指ぬき部の先端と一致する形状を持つことができる。
【００２２】
本発明のさらに他の側面による小物摘取用手袋は、指を包む指部を含む手袋本体；及び手の甲側の第１層と前記第１層の反対側の第２層が前方部で互いに接合してエッジラインを形成し、後方部は開放して前記指部に装着された指ぬき部；を含み、前記指ぬき部は、前記手袋本体の指部に射出成形で形成され、使用者が手袋を着用して親指用指ぬき部と人差し指用指ぬき部の各先端を一致させる場合、親指用指ぬき部の第１層外面の左右中心線と人差し指用指ぬき部の第１層外面の左右中心線は互いに０〜０．５ｍｍの誤差内で一致する。
【００２３】
この際、前記指ぬき部の第１層側から見た両左右中心線が成す角度が１７０°〜１９０°であり、両左右中心線の一致点で親指用指ぬき部及び人差し指用指ぬき部の共通の接平面を形成することができる。
【００２４】
本発明のさらに他の側面は、指を包む指部を含む手袋本体；及び手の甲側の第１層と前記第１層の反対側の第２層が前方部で互いに接合してエッジラインを形成し、後方部は開放して前記指部に装着された指ぬき部；を含み、前記指ぬき部は前記手袋本体の指部に射出成形で形成される小物摘取用手袋の製造方法であって、前記指ぬき部の前記第１層の外面を形成する上側コア、前記指ぬき部の前記第２層の外面を形成する下側コア、及び前記手袋本体の指部が挿入されるスライドコアを含む金型に前記手袋本体を装着し、手袋本体の指部と前記コアがなす射出空間に射出物を噴射して前記指ぬき部を形成する小物摘取用手袋の製造方法を提供する。
【発明の効果】
【００２５】
以上説明したような本発明によれば、
第一、使用者が小物摘取用手袋を着用した場合、素手で摘むことよりもっと小さなサイズの物体を摘むことができる効果がある。
第二、使用者が手袋を着用した状態でタッチパネルに信号を伝達することができるので、面倒に手袋を脱がなくても携帯電話などのディスプレイ器機を使うことができる。
【図面の簡単な説明】
【００２６】
【図１】本発明の第１実施例による小物摘取用手袋の斜視図である。
【図２】図１のＩ−Ｉ’線についての断面図である。
【図３】使用者が手袋を着用して親指用指ぬき部と人差し指用指ぬき部の各先端を一致させた場合、第１層側から見た図である。
【図４】使用者が手袋を着用して親指用指ぬき部と人差し指用指ぬき部の各先端を一致させる場合、側面から見た図である。
【図５】本発明の第２実施例による小物摘取用手袋の構造図である。
【図６】本発明の第３実施例による小物摘取用手袋の構造図である。
【図７】本発明の第４実施例による小物摘取用手袋の構造図である。
【図８】本発明の第５実施例による小物摘取用手袋の構造図である。
【図９】本発明による小物摘取用手袋製造用金型の断面図である。
【図１０】本発明による小物摘取用手袋を製造する状態を示す説明図である。
【発明を実施するための形態】
【００２７】
以下、添付図面に基づいて本発明の実施例を詳細に説明する。各図において同一名称で説明可能な構成要素には説明の便宜上同一符号を付与する。図１は本発明の第１実施例による小物摘取用手袋の斜視図を示し、図２は図１のＩ−Ｉ’線についての断面図である。
【００２８】
図１及び図２によれば、本実施例による小物摘取用手袋は、指を包む指部を含む手袋本体２０と、指ぬき部１０とを含む。
【００２９】
指ぬき部１０は手袋の指部の端部に形成されるもので、人の手の甲側の第１層１０１と、第１層１０１の反対側の第２層１０２とからなり、第１層１０１及び第２層１０２は前方部で互いに接合して指を収容する構造体を形成する。この際、指ぬき部１０は指部に嵌合されるか、あるいは接着または射出成形で設けることができる。
【００３０】
この際、指ぬき部１０を指の長手方向に垂直に切断した断面において、第１層１０１は前記指ぬき部の内部から指ぬき部の外側に向かってふくらんで曲率が変わる形状を持つ曲面であり、第２層１０２は前方から後方に行くほど指ぬき部の外部から指ぬき部の内部にふくらんでいる形状から指ぬき部の内部から指ぬき部の外部に向かってふくらんでいる形状に変曲する曲面が好ましいが、これに限定されない。この際、第１層１０１及び第２層１０２が合う線に沿ってエッジライン１０３が形成される。
【００３１】
各指に対応する指ぬき部１０は互いに同一の形状及び構造であるが、サイズは互いに違うことができる。また、指ぬき部１０は左右対称の構造のものが製造し易い。
【００３２】
図２のように、第１層１０１及び第２層１０２が合う接合点でそれぞれの接線が互いに成す角度（θ）は１８°〜６８°が好ましい。この際、前記範囲内において、細かくて軽い重量を持つ品物より大きくて重い重量を持つ品物を摘むように角度は高いことが好ましい。
【００３３】
指ぬき部１０の材料は摘取率に重要な要素であり、少なくとも第１層１０１はショアＡ硬度（Ｓｈｏｒｅ
Ａ ｈａｒｄｎｅｓｓ）２０〜７０が好ましい。この際、前記範囲内において、細かくて軽い重量を持つ品物よりは大きくて重い重量を持つ品物を摘むように硬度が高いことが有利である。前記範囲の外では摘取成功率が産業的に用いられる水準に達していないからである。
【００３４】
具体的に、材料としては、ゴム、合成樹脂、纎維、金属、非金属などの多様な材質が選択できるが、使用後に速かに原形に復元することができる素材で製造されることが好ましい。
【００３５】
例えば、非制限的な例として、ニトリルゴム、天然ゴム、アクリルゴム、ウレタンゴム、フッ素ゴム、シリコンゴム、及びこれらの合成ゴムよりなる群から選ばれる１種のゴムからこのような硬度条件を満足させるように製造して使うことができる。
【００３６】
指ぬき部１０の材料とともに厚さも重要な要素である。第１層１０１の厚さは０．０３ｍｍ〜３ｍｍが好ましい。３ｍｍを超える場合、品物を摘むとき、指の自然な反復的屈伸の運動を厚肉によって阻害するから問題点があり、０．０３ｍｍ未満の場合、製品生産の際、材料があまり薄くて一定の構造を形成するのに問題点があるからである。
【００３７】
また、第２層１０２の厚さも０．０３ｍｍ〜３ｍｍが好ましい。３ｍｍを超える場合、品物を摘むとき、指の自然的な反復的屈伸の運動を厚肉によって阻害するから問題点があり、０．０３ｍｍ未満の場合、製品生産の際、材料があまり薄くて構造を形成するのに問題点があるからである。ただ、第２層１０２の厚さは第１層の厚さより薄くして、手袋の着用の際、実際の手のような自然さを付与することが好ましい。
【００３８】
一方、指ぬき部１０において、先端のエッジラインは両側に行くほど高さが低くなって全体的に流線形をなす。最先端のエッジラインは厚さが０．００１ｍｍ〜０．５ｍｍであることが好ましい。これにより、爪の厚さが０．６５ｍｍである人の手より微小な品物をつまむことができるようになる。
【００３９】
指ぬき部１０の長さは指の最外節に相応するかあるいは最外節よりちょっと大きく形成されることが好ましい。
【００４０】
図３は、使用者が手袋を着用して親指用指ぬき部及び人差し指用指ぬき部の各先端を一致させた場合、第１層側から見た斜視図、図４は使用者が手袋を着用して親指用指ぬき部と人差し指用指ぬき部の各先端を一致させた場合、側面から見た斜視図である。
【００４１】
摘むときの人の親指と人差し指の動作を説明すれば、親指の爪の左右中心線と人差し指の爪の左右中心線を正面から見たとき、互いに一直線を成すことができず、およそ１４０度の角度を成し、摘取点において親指の爪の左右中心線と人差し指の爪の左右中心線は一致しなくて、２．２〜２．９ｍｍ程度離れており、親指の爪面と人差し指の爪面が互いにずれている。これにより、人の手はより微小な物体を摘むのに難しさが発生するようになる。この際、左右中心線は爪の左右長の中心線を言う。
【００４２】
よって、人の手よりも小物の摘取が容易にできるように製作するために、小物摘取用手袋は、使用者が手袋を着用し、親指用指ぬき部と人差し指用指ぬき部の各先端を一致させる場合、親指用指ぬき部の第１層外面の左右中心線と人差し指用指ぬき部の第１層外面の左右中心線は互いに０〜０．５ｍｍの誤差内で一致することができ、また指ぬき部の第１層側から見て両左右中心線が成す角度が１７０°〜１９０°以内となるようにすることができ、両左右中心線の一致点で親指用指ぬき部及び人差し指用指ぬき部の共通の接平面を形成しなければならない。
【００４３】
このためには、親指用指ぬき部１０−１は親指用指ぬき部の第１層１０１が対応する親指爪の方向より右側に回転した位置に備えられなければならなく、人差し指用指ぬき部１０１−２は人差し指用指ぬき部１０−２の第１層１０１が対応する人差し指爪の方向より左側に回転した位置に備えられなければならない。
【００４４】
一方、以下の実施例では、静電式タッチスクリーンにおいてスタイラスペンのように使われるように構成される小物摘取用手袋を説明する。以下の実施例において、同一の構成要素に対する符号は説明の便宜上同一符号を付けることにする。
【００４５】
図５は本発明の第２実施例による小物摘取用手袋を示す。
【００４６】
これによれば、手袋の人差し指用指ぬき部１０−２の第２層１０２が装着される領域の少なくとも一部に孔２０１が形成され、使用者の指が直接人差し指用指ぬき部１０−２と接触するように構成される。この際、指ぬき部は導電性樹脂で構成することで、使用者の指の電流が指ぬき部を介して伝達されてタッチスクリーンのキャパシティーの容量変化を引き起こすようにする。
【００４７】
この際、導電性樹脂としては公知の成形可能な導電性樹脂を使うことができ、主に導電性金属と樹脂を混合した材料が使われる。金属としては、例えば、鉄、銅、ニッケルなどを使うことができ、樹脂としては、ＰＰＥ、ＰＣなどを使うことができる。
【００４８】
図６は本発明の第３実施例による小物摘取用手袋を示す。
【００４９】
これによれば、小物摘取用手袋は、第１層１０１にスタイラスペンが装着される。すなわち、第１層内にスタイラスペンが装着される構造のもので、指ぬき部の射出成形の際に一緒に含まれるかあるいは着脱できるように構成することができる。
【００５０】
スタイラスペンは、バッテリー３０２、バッテリーの電流を伝達する導電性チップ３０１を含む。また、バッテリー３０２と導電性チップ３０１を連結する連結部材をさらに備えることができる。
【００５１】
バッテリー３０２は、第１層の内部に収容可能なサイズの小型バッテリーを使う。導電性チップ３０１は指先の方向に伸びる棒状のもので、先端は指ぬき部の先端と一致する形状となることが好ましい。
【００５２】
図７は本発明の第４実施例による小物摘取用手袋を示す。第４実施例は、スタイラスペンが第１層１０１の内部に含まれるものではなく、指ぬき部の外面に装着されるという点で違いがある。指ぬき部の外面に装着される方式は非常に多様であるが、図７の実施例のように、導電性チップ４０１、バッテリー４０２、及び装着手段４０３を含む。
【００５３】
装着手段４０３は弾性変形して指ぬき部１０に装着できるようにし、導電性チップ４０１は長棒状のもので、端部は指ぬき部１０の端部と一致する形状となることが好ましい。バッテリー４０２は導電性チップ４０１に電流を供給する。
【００５４】
図８は本発明の第５実施例による小物摘取用手袋を示す。第５実施例は、指ぬき部１０が導電性樹脂でなり、指ぬき部１０と対応する手袋領域の少なくとも一領域が導電性纎維５０１でなり、スタイラスペンの機能を果たすことができる。
【００５５】
指ぬき部を手袋本体に付着する方法は、指ぬき部を製作した後、指ぬき部の内面に接着剤を塗布し、手袋本体の指部に付着させることができるが、近年環境問題を考慮すれば、接着剤の使用を排除した工程がより好ましい。
【００５６】
このために、手袋本体の指部に指ぬき部を射出成形する方法を有用に使うことができる。この場合、指ぬき部を指部に射出成形する方法を図９及び図１０に基づいて説明する。
【００５７】
先に、金型を上側コア６０１、下側コア６０２、及びスライドコア６０３に分割して製作する。上側コア６０１は指ぬき部１０の第１層１０１の外面を形成し、下側コア６０２は指ぬき部の第２層１０２の外面を形成し、スライドコア６０３は手袋本体２０の指部が挿入されて指ぬき部の内面形状を形成する。
【００５８】
すなわち、上側コア６０１と下側コア６０２を開放したとき、中間にスライドコア６０３を設置する。この際、スライドコア６０３に形成しようとする手袋本体２０の指部を装着させた状態で上側コア６０１と下側コア６０２を閉めて密閉させれば、手袋本体の指部とコアの間に射出空間が形成され、その空間に高圧の射出物を満たして指ぬき部を成形し、射出が完了すれば、スライドコア６０３を離脱させて射出物を抜き取る。
【００５９】
この際、射出物が指ぬき部１０形成領域を離脱しないように、上側コア６０１、下側コア６０２、及びスライドコア６０３にはそれぞれ射出物防止突起６１１、６１３、６１５、６１７を形成することが好ましい。
【００６０】
一方、金型の各コアは複数で製作することで、射出作業に必要な時間のうちに他のコアに手袋を嵌合する作業を向上させることによって生産性を向上させることができる。
【００６１】
図面及び明細書に好適な実施例を開示した。ここで特定の用語を使ったが、これはただ本発明を説明するための目的で使用したものであるだけ、意味の限定や特許請求範囲記載の本発明の範囲を限定するために使用したものではない。したがって、当該技術分野の通常の知識を持つ者であれば、これから多様な変形及び均等な他の実施例が可能であることが理解可能であろう。したがって、本発明の真正な技術的保護範囲は添付の特許請求範囲の技術的思想によって決められなければならない。
【産業上の利用可能性】
【００６２】
本発明は、小物の摘取が容易な親指部と人差し指部の構造を持つ小物摘取用手袋に適用可能である。
【符号の説明】
【００６３】
１０    指ぬき部
２０    手袋本体
１０１    第１層
１０２    第２層
２０１    孔
３０１    導電性チップ
３０２    バッテリー
４０１    導電性チップ
４０２    バッテリー
４０３    装着手段
５０１    導電性纎維
６０１    上側コア
６０２    下側コア
６０３    スライドコア
【図１】
2014501340.tif 000003
【図２】
2014501340.tif 000004
【図３】
2014501340.tif 000005
【図４】
2014501340.tif 000006
【図５】
2014501340.tif 000007
【図６】
2014501340.tif 000008
【図７】
2014501340.tif 000009
【図８】
2014501340.tif 000010
【図９】
2014501340.tif 000011
【図１０】
2014501340.tif 000012
【国際調査報告】
2014501340.tif 000013
2014501340.tif 000014
2014501340.tif 000015
2014501340.tif 000016